(57)【特許請求の範囲】
【請求項１】
無線通信機能を具備する端末との間で無線通信を行う無線基地局であって、
前記端末から送信されてきた信号の信号レベル対干渉レベル比である受信ＳＩＲを測定する受信ＳＩＲ測定部と、
前記端末との間の通信状況に応じて、前記端末から送信される信号の送信レートを制御し、前記受信ＳＩＲの目標値である第１の目標ＳＩＲを設定し、前記端末が複数のチャネルを用いて前記信号を送信している場合、該チャネル間の受信電力比を算出するスケジューラと、
前記受信電力比と、当該無線基地局が前記端末との間で通信を行っているパス数と、該パス数が複数である場合、該パスのうち第１のパスと第２のパスとの間の受信電力差とに基づいて、前記目標ＳＩＲの閾値となる目標ＳＩＲ閾値を設定し、該目標ＳＩＲ閾値と前記第１の目標ＳＩＲとに基づいて、第２の目標ＳＩＲを設定し、前記目標ＳＩＲ閾値と前記第１の目標ＳＩＲとに基づいて、前記端末から送信される信号の送信レートを下げるように前記スケジューラに対して指示する目標ＳＩＲ制御部と、
前記測定した受信ＳＩＲと前記第２の目標ＳＩＲとに基づいて、前記端末から送信される信号の送信電力を制御する電力制御部とを有する無線基地局。
【請求項２】
請求項１に記載の無線基地局において、
前記目標ＳＩＲ制御部は、前記目標ＳＩＲ閾値が前記第１の目標ＳＩＲよりも小さな値である場合、前記目標ＳＩＲ閾値を前記第２の目標ＳＩＲに設定し、前記端末から送信される信号の送信レートを下げるように前記スケジューラに対して指示し、それ以外の場合は、前記第１の目標ＳＩＲを前記第２の目標ＳＩＲに設定し、
前記電力制御部は、前記測定した受信ＳＩＲが前記第２の目標ＳＩＲよりも小さな値である場合、前記端末から送信される信号の送信電力を上げるように制御し、それ以外の場合は、前記端末から送信される信号の送信電力を下げるように制御することを特徴とする無線基地局。
【請求項３】
請求項１に記載の無線基地局において、
前記目標ＳＩＲ制御部は、前記受信電力比の絶対値が小さな値であるほど、また前記パス数が少ないほど、また前記受信電力差の絶対値が大きな値であるほど、前記目標ＳＩＲ閾値を大きな値に設定することを特徴とする無線基地局。
【請求項４】
請求項１に記載の無線基地局において、
前記スケジューラは、前記端末が制御チャネルとそれ以外の物理チャネルとを用いて前記信号を送信している場合、前記制御チャネルと前記物理チャネルとの受信電力比を算出することを特徴とする無線基地局。
【請求項５】
無線通信機能を具備する端末から送信される信号の送信電力を制御する送信電力制御方法であって、
前記端末から送信されてきた信号の信号レベル対干渉レベル比である受信ＳＩＲを測定する処理と、
前記端末との間の通信状況に応じて、前記受信ＳＩＲの目標値である第１の目標ＳＩＲを設定する処理と、
前記端末が複数のチャネルを用いて前記信号を送信している場合、該チャネル間の受信電力比を算出する処理と、
前記受信電力比と、前記端末と該端末との間で通信を行っている無線基地局との間でのパス数と、該パス数が複数である場合、該パスのうち第１のパスと第２のパスとの間の受信電力差とに基づいて、前記目標ＳＩＲの閾値となる目標ＳＩＲ閾値を設定する処理と、
前記目標ＳＩＲ閾値と前記第１の目標ＳＩＲとに基づいて、第２の目標ＳＩＲを設定する処理と、
前記目標ＳＩＲ閾値と前記第１の目標ＳＩＲとに基づいて、前記端末から送信される信号の送信レートを下げるように制御する処理と、
前記受信ＳＩＲと前記第２の目標ＳＩＲとに基づいて、前記端末から送信される信号の送信電力を制御する処理とを有する送信電力制御方法。
【請求項６】
請求項５に記載の送信電力制御方法において、
前記目標ＳＩＲ閾値と前記第１の目標ＳＩＲとを比較する処理と、
前記目標ＳＩＲ閾値が前記第１の目標ＳＩＲよりも小さな値である場合、前記目標ＳＩＲ閾値を前記第２の目標ＳＩＲに設定する処理と、
前記目標ＳＩＲ閾値が前記第１の目標ＳＩＲよりも小さな値ではない場合、前記第１の目標ＳＩＲを前記第２の目標ＳＩＲに設定する処理と、
前記目標ＳＩＲ閾値が前記第１の目標ＳＩＲよりも小さな値である場合、前記端末から送信される信号の送信レートを下げるように制御する処理と、
前記受信ＳＩＲと前記第２の目標ＳＩＲとを比較する処理と、
前記受信ＳＩＲが前記第２の目標ＳＩＲよりも小さな値である場合、前記端末から送信される信号の送信電力を上げるように制御する処理と、
前記受信ＳＩＲが前記第２の目標ＳＩＲよりも小さな値ではない場合、前記端末から送信される信号の送信電力を下げるように制御する処理とを有することを特徴とする送信電力制御方法。
【請求項７】
請求項５に記載の送信電力制御方法において、
前記受信電力比の絶対値が小さな値であるほど、また前記パス数が少ないほど、また前記受信電力差の絶対値が大きな値であるほど、前記目標ＳＩＲ閾値を大きな値に設定する処理を有することを特徴とする送信電力制御方法。
【請求項８】
請求項５に記載の送信電力制御方法において、
前記端末が制御チャネルとそれ以外の物理チャネルとを用いて前記信号を送信している場合、前記制御チャネルと前記物理チャネルとの受信電力比を算出する処理を有することを特徴とする送信電力制御方法。
【請求項９】
無線通信機能を具備する端末との間で無線通信を行う無線基地局に、
前記端末から送信されてきた信号の信号レベル対干渉レベル比である受信ＳＩＲを測定する手順と、
前記端末との間の通信状況に応じて、前記受信ＳＩＲの目標値である第１の目標ＳＩＲを設定する手順と、
前記端末が複数のチャネルを用いて前記信号を送信している場合、該チャネル間の受信電力比を算出する手順と、
前記受信電力比と、当該無線基地局が前記端末との間で通信を行っているパス数と、該パス数が複数である場合、該パスのうち第１のパスと第２のパスとの間の受信電力差とに基づいて、前記目標ＳＩＲの閾値となる目標ＳＩＲ閾値を設定する手順と、
前記目標ＳＩＲ閾値と前記第１の目標ＳＩＲとに基づいて、第２の目標ＳＩＲを設定する手順と、
前記目標ＳＩＲ閾値と前記第１の目標ＳＩＲとに基づいて、前記端末から送信される信号の送信レートを下げるように制御する手順と、
前記受信ＳＩＲと前記第２の目標ＳＩＲとに基づいて、前記端末から送信される信号の送信電力を制御する手順とを実行させるためのプログラム。
【請求項１０】
請求項９に記載のプログラムにおいて、
前記目標ＳＩＲ閾値と前記第１の目標ＳＩＲとを比較する手順と、
前記目標ＳＩＲ閾値が前記第１の目標ＳＩＲよりも小さな値である場合、前記目標ＳＩＲ閾値を前記第２の目標ＳＩＲに設定する手順と、
前記目標ＳＩＲ閾値が前記第１の目標ＳＩＲよりも小さな値ではない場合、前記第１の目標ＳＩＲを前記第２の目標ＳＩＲに設定する手順と、
前記目標ＳＩＲ閾値が前記第１の目標ＳＩＲよりも小さな値である場合、前記端末から送信される信号の送信レートを下げるように制御する手順と、
前記受信ＳＩＲと前記第２の目標ＳＩＲとを比較する手順と、
前記受信ＳＩＲが前記第２の目標ＳＩＲよりも小さな値である場合、前記端末から送信される信号の送信電力を上げるように制御する手順と、
前記受信ＳＩＲが前記第２の目標ＳＩＲよりも小さな値ではない場合、前記端末から送信される信号の送信電力を下げるように制御する手順とを実行させるためのプログラム。
【請求項１１】
請求項９に記載のプログラムにおいて、
前記受信電力比の絶対値が小さな値であるほど、また前記パス数が少ないほど、また前記受信電力差の絶対値が大きな値であるほど、前記目標ＳＩＲ閾値を大きな値に設定する手順を実行させるためのプログラム。
【請求項１２】
請求項９に記載のプログラムにおいて、
前記端末が制御チャネルとそれ以外の物理チャネルとを用いて前記信号を送信している場合、前記制御チャネルと前記物理チャネルとの受信電力比を算出する手順を実行させるためのプログラム。
【発明の詳細な説明】
【技術分野】
【０００１】
本発明は、無線通信を行う端末から送信される信号の送信電力を制御する無線基地局、送信電力制御方法およびプログラムに関する。
【背景技術】
【０００２】
近年、携帯通信端末の通信方式として第３世代移動体通信方式であるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式が主流となっている。Ｗ−ＣＤＭＡ方式では、下りリンクをＥｎｈａｎｃｅｍｅｎｔしたＨＳＤＰＡ（Ｈｉｇｈ  Ｓｐｅｅｄ  Ｄｏｗｎｌｉｎｋ  Ｐａｃｋｅｔ  Ａｃｃｅｓｓ）から、上りリンクをＥｎｈａｎｃｅｍｅｎｔしたＨＳＵＰＡ（Ｈｉｇｈ  Ｓｐｅｅｄ  Ｕｐｌｉｎｋ  Ｐａｃｋｅｔ  Ａｃｃｅｓｓ）へ移行している。
【０００３】
また、無線通信システムにおいて、無線端末から送信される信号の送信電力を無線基地局から制御するために、当該信号の受信信号レベル対雑音レベルの割合（比率）を示す受信ＳＩＲが用いられている（例えば、特許文献１参照。）。
【先行技術文献】
【特許文献】
【０００４】
【特許文献１】特開２００４−２００８２４号公報
【発明の概要】
【発明が解決しようとする課題】
【０００５】
しかしながら、Ｗ−ＣＤＭＡ移動通信の無線環境においては、特定端末から送信される信号の送信電力が急激に増加する。この特定端末の送信電力の急激な増加が、他のユーザにとって大きな干渉源となり、通信品質が劣化することによる悪影響が生じてしまう。また、無線基地局に対する入力レベルの短時間での急上昇や急下降が発生すると、ＡＧＣ（Ａｕｔｏｍａｔｉｃ  Ｇａｉｎ  Ｃｏｎｔｒｏｌ）出力のサチュレーションや量子化ノイズの影響による特性劣化の要因となる。
【０００６】
このような端末からの送信電力の急激な変化の要因の１つとして、信号対干渉比の目標値である目標受信ＳＩＲ（Ｓｉｇｎａｌ  ｔｏ  Ｉｎｔｅｒｆｅｒｅｎｃｅ  ｐｏｗｅｒ  Ｒａｔｉｏ）に対する受信ＳＩＲの追従がなんらかの要因で悪化することが挙げられる。
【０００７】
ＨＳＵＰＡが導入されるようになると、上りリンクの高レート化により、制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）の電力に対するデータチャネル（Ｅ−ＤＰＤＣＨ：Ｅｎｈａｎｃｅｄ−Ｄｅｄｉｃａｔｅｄ  Ｐｈｙｓｉｃａｌ  Ｄａｔａ  Ｃｈａｎｎｅｌ）の電力の比率が非常に大きな状態で使用される。このような場合、マルチパス環境では自身の干渉による受信ＳＩＲの劣化が無視できなくなる。
【０００８】
図８は、１本および互いにレベルの等しい２本パス時の目標ＳＩＲと受信ＳＩＲとの関係の一例を示すグラフである。図８において、横軸を目標ＳＩＲ（Ｔａｒｇｅｔ  ＳＩＲ）とし、縦軸を受信ＳＩＲとして、１パスを受信した場合および等レベル２パスを受信した場合の目標ＳＩＲ対受信ＳＩＲの特性概略を示す。
【０００９】
図８に示すように、端末の送信電力を増加させるように目標ＳＩＲを高い値に設定しても無線基地局での受信ＳＩＲが改善されない状況が発生する。具体的には、等レベル２パスの場合、他方のパスは干渉となることにより、ある程度、受信ＳＩＲの高い領域が要求されると、送信電力を増加しても自波干渉により受信ＳＩＲが増加しない状態となる。
【００１０】
上述した通り高い受信ＳＩＲが要求されるのは高レートのデータを送信する場合であり、端末がこのような状態に陥ると、パワーコントロールの効果が期待できないばかりか、無線基地局の入力レベルが急激に増加し、他のユーザにとって大きな干渉となってしまうという問題点が生じる。
【００１１】
このような自波干渉に対しては干渉キャンセラが有効であるが、実装インパクトが大きくコスト増を招いてしまう。また、ＡＧＣ制御の制御範囲を超えるような急激な受信電力増加が発生した場合、ＡＧＣ出力においてサチュレーションが生じ、上りの受信品質が劣化してしまう問題も無視できない。
【００１２】
本発明の目的は、上述した課題を解決する無線基地局、送信電力制御方法およびプログラムを提供することである。
【課題を解決するための手段】
【００１３】
本発明の無線基地局は、
無線通信機能を具備する端末との間で無線通信を行う無線基地局であって、
前記端末から送信されてきた信号の信号レベル対干渉レベル比である受信ＳＩＲを測定する受信ＳＩＲ測定部と、
前記端末との間の通信状況に応じて、前記端末から送信される信号の送信レートを制御し、前記受信ＳＩＲの目標値である第１の目標ＳＩＲを設定し、前記端末が複数のチャネルを用いて前記信号を送信している場合、該チャネル間の受信電力比を算出するスケジューラと、
前記受信電力比と、当該無線基地局が前記端末との間で通信を行っているパス数と、該パス数が複数である場合、該パスのうち第１のパスと第２のパスとの間の受信電力差とに基づいて、前記目標ＳＩＲの閾値となる目標ＳＩＲ閾値を設定し、該目標ＳＩＲ閾値と前記第１の目標ＳＩＲとに基づいて、第２の目標ＳＩＲを設定し、前記目標ＳＩＲ閾値と前記第１の目標ＳＩＲとに基づいて、前記端末から送信される信号の送信レートを下げるように前記スケジューラに対して指示する目標ＳＩＲ制御部と、
前記測定した受信ＳＩＲと前記第２の目標ＳＩＲとに基づいて、前記端末から送信される信号の送信電力を制御する電力制御部とを有する。
【００１４】
また、本発明の送信電力制御方法は、
無線通信機能を具備する端末から送信される信号の送信電力を制御する送信電力制御方法であって、
前記端末から送信されてきた信号の信号レベル対干渉レベル比である受信ＳＩＲを測定する処理と、
前記端末との間の通信状況に応じて、前記受信ＳＩＲの目標値である第１の目標ＳＩＲを設定する処理と、
前記端末が複数のチャネルを用いて前記信号を送信している場合、該チャネル間の受信電力比を算出する処理と、
前記受信電力比と、前記端末と該端末との間で通信を行っている無線基地局との間でのパス数と、該パス数が複数である場合、該パスのうち第１のパスと第２のパスとの間の受信電力差とに基づいて、前記目標ＳＩＲの閾値となる目標ＳＩＲ閾値を設定する処理と、
前記目標ＳＩＲ閾値と前記第１の目標ＳＩＲとに基づいて、第２の目標ＳＩＲを設定する処理と、
前記目標ＳＩＲ閾値と前記第１の目標ＳＩＲとに基づいて、前記端末から送信される信号の送信レートを下げるように制御する処理と、
前記受信ＳＩＲと前記第２の目標ＳＩＲとに基づいて、前記端末から送信される信号の送信電力を制御する処理とを有する。
【００１５】
また、本発明のプログラムは、
無線通信機能を具備する端末との間で無線通信を行う無線基地局に実行させるためのプログラムであって、
前記端末から送信されてきた信号の信号レベル対干渉レベル比である受信ＳＩＲを測定する手順と、
前記端末との間の通信状況に応じて、前記受信ＳＩＲの目標値である第１の目標ＳＩＲを設定する手順と、
前記端末が複数のチャネルを用いて前記信号を送信している場合、該チャネル間の受信電力比を算出する手順と、
前記受信電力比と、当該無線基地局が前記端末との間で通信を行っているパス数と、該パス数が複数である場合、該パスのうち第１のパスと第２のパスとの間の受信電力差とに基づいて、前記目標ＳＩＲの閾値となる目標ＳＩＲ閾値を設定する手順と、
前記目標ＳＩＲ閾値と前記第１の目標ＳＩＲとに基づいて、第２の目標ＳＩＲを設定する手順と、
前記目標ＳＩＲ閾値と前記第１の目標ＳＩＲとに基づいて、前記端末から送信される信号の送信レートを下げるように制御する手順と、
前記受信ＳＩＲと前記第２の目標ＳＩＲとに基づいて、前記端末から送信される信号の送信電力を制御する手順とを実行させる。
【発明の効果】
【００１６】
以上説明したように、本発明においては、上りリンクにおける無駄な干渉の増大を容易に防ぐことができる。
【図面の簡単な説明】
【００１７】
【図１】本発明の無線基地局の実施の一形態を示す図である。
【図２】等レベル２パス受信状態における各受信電力比が第１の目標ＳＩＲに対する受信ＳＩＲの特性に与える影響を示すグラフである。
【図３】受信電力比と目標ＳＩＲ閾値との対応付けの一例を示す図である。
【図４】等レベルマルチパス受信状態におけるマルチパス数が第１の目標ＳＩＲに対する受信ＳＩＲの特性に与える影響を示すグラフである。
【図５】パス数に応じた受信電力比と目標ＳＩＲ閾値との対応付けの一例を示す図である。
【図６】レベル差に応じた受信電力比と目標ＳＩＲ閾値との対応付けの一例を示す図である。
【図７】図１に示した無線基地局における送信電力制御方法を説明するためのフローチャートである。
【図８】１本および互いにレベルの等しい２本パス時の目標ＳＩＲと受信ＳＩＲとの関係の一例を示すグラフである。
【発明を実施するための形態】
【００１８】
以下に、本発明の実施の形態について図面を参照して説明する。
【００１９】
図１は、本発明の無線基地局の実施の一形態を示す図である。
【００２０】
本形態における無線基地局１００には図１に示すように、逆拡散部１０１と、受信ＳＩＲ測定部１０２と、スケジューラ１０３と、目標ＳＩＲ制御部１０４と、電力制御部１０５と、物理チャネルマッピング部１０６と、拡散部１０７とが設けられている。
【００２１】
逆拡散部１０１は、無線通信機能を具備する端末から送信されてきた上りリンクの信号を受信し、当該信号について逆拡散処理を行う。この逆拡散処理は、無線信号を逆拡散処理する一般的なものである。また、逆拡散部１０１は、逆拡散により得られるパス情報（マルチパス数、パスレベル差）を目標ＳＩＲ制御部１０４へ出力する。また、逆拡散部１０１は、逆拡散されたＤＰＣＣＨ信号内のＰｉｌｏｔ信号を受信ＳＩＲ測定部１０２へ出力する。
【００２２】
受信ＳＩＲ測定部１０２は、逆拡散部１０１から出力されてきたＰｉｌｏｔ信号を用いて、受信ＳＩＲを測定する。この受信ＳＩＲの測定方法は、一般的に用いられるもので良い。また、受信ＳＩＲ測定部１０２は、測定した受信ＳＩＲを目標ＳＩＲ制御部１０４と、電力制御部１０５とへ出力する。
【００２３】
スケジューラ１０３は、端末との間の通信状況に応じて、端末から送信される信号の送信レートを物理チャネルマッピング部１０６および拡散部１０７を介して制御する。また、スケジューラ１０３は、端末との間の通信状況に応じて、受信ＳＩＲの目標値である第１の目標ＳＩＲ（Ｔａｒｇｅｔ  ＳＩＲ’）を設定し、当該第１の目標ＳＩＲを目標ＳＩＲ制御部１０４へ出力する。また、スケジューラ１０３は、制御チャネル（ＤＰＣＣＨ）の電力に対するそれ以外のデータチャネル（Ｅ−ＤＰＤＣＨ）を含む他の物理チャネルの電力の比率である受信電力比を算出し、当該受信電力比を目標ＳＩＲ制御部１０４へ出力する。
【００２４】
目標ＳＩＲ制御部１０４は、スケジューラ１０３から出力されてきた受信電力比と、逆拡散部１０１から出力されてきたパス情報に含まれるマルチパス数と、マルチパス数が複数である場合、当該マルチパスのうち第１のパスと第２のパスとの間の受信電力差（パスレベル差）とに基づいて、目標ＳＩＲの閾値となる目標ＳＩＲ閾値を設定する。具体的な設定方法については、後述する。また、目標ＳＩＲ制御部１０４は、設定した目標ＳＩＲ閾値とスケジューラ１０３から出力されてきた第１の目標ＳＩＲとを比較する。その比較の結果、目標ＳＩＲ閾値が第１の目標ＳＩＲよりも小さな値である場合、目標ＳＩＲ閾値を第２の目標ＳＩＲに設定する。また、それ以外の場合（目標ＳＩＲ閾値が第１の目標ＳＩＲ以上の値である場合）は、第１の目標ＳＩＲを第２の目標ＳＩＲに設定する。また、目標ＳＩＲ制御部１０４は、設定した第２の目標ＳＩＲを電力制御部１０５へ出力する。また、目標ＳＩＲ制御部１０４は、目標ＳＩＲ閾値が第１の目標ＳＩＲよりも小さな値である場合、端末から送信される信号の送信レートを下げるようにスケジューラ１０３に対して指示する。
【００２５】
電力制御部１０５は、受信ＳＩＲ測定部１０２から出力されてきた受信ＳＩＲと、目標ＳＩＲ制御部１０４から出力されてきた第２の目標ＳＩＲとを比較する。その比較の結果、受信ＳＩＲが第２の目標ＳＩＲよりも小さな値である場合、端末から送信される信号の送信電力を上げるように制御する。また、それ以外の場合は、端末から送信される信号の送信電力を下げるように制御する。具体的には、電力制御部１０５は、端末へ送信電力の増減を指示するために通知するＴＰＣ（Ｔｒａｎｓｍｉｔ  Ｐｏｗｅｒ  Ｃｏｎｔｒｏｌ）−Ｂｉｔを生成する際、受信ＳＩＲが第２の目標ＳＩＲよりも小さな値である場合、ＴＰＣ−Ｂｉｔを「１」に設定する。また、それ以外の場合、ＴＰＣ−Ｂｉｔを「０」に設定する。また、電力制御部１０５は、設定したＴＰＣ−Ｂｉｔを物理チャネルマッピング部１０６へ出力する。
【００２６】
物理チャネルマッピング部１０６は、電力制御部１０５から出力されてきたＴＰＣ−Ｂｉｔ、および、他の制御情報、データ（ＤＬ  Ｄａｔａ）をＤＬ−ＤＰＣＨ（Ｄｏｗｎ  Ｌｉｎｋ  Ｄｅｄｉｃａｔｅｄ  Ｄａｔａ  Ｃｈａｎｎｅｌ)としてマッピングして、拡散部１０７へ出力する。
【００２７】
拡散部１０７は、物理チャネルマッピング部１０６から出力されてきた下り信号を拡散して、端末へ送信する。
【００２８】
以下に、パワーコントロールが有効に動作しない可能性があると判断した場合の目標ＳＩＲ制御部１０４における第２の目標ＳＩＲの設定方法について説明する。
【００２９】
この設定の契機は、
・スケジューラ１０３から第１の目標ＳＩＲの更新通知が入ったとき
または、
・制御チャネル（ＤＰＣＣＨ）に対する他チャネルの電力比（ＤＰＣＣＨ／Ｏｔｈｅｒ  Ｐｈｙｓｉｃａｌ  Ｃｈａｎｎｅｌ  Ｐｏｗｅｒ）が更新されたとき
または
・パス情報が更新されたとき
とする。
【００３０】
端末に対するＴａｒｇｅｔ  ＳＩＲ’（第１の受信ＳＩＲ）が、受信電力比、最新のマルチパス数、およびパスレベル差に応じてそれぞれ定義された閾値（Ｔａｒｇｅｔ  ＳＩＲ  Ｔｈｒｅｓｈｏｌｄ：目標ＳＩＲ閾値）以上である場合、パワーコントロールが有効に動作しない可能性があると判断する。
【００３１】
まずは、目標ＳＩＲ制御部１０４における目標ＳＩＲ閾値の設定方法について説明する。
【００３２】
図２は、等レベル２パス受信状態における各受信電力比が第１の目標ＳＩＲに対する受信ＳＩＲの特性に与える影響を示すグラフである。図２では、受信電力比ＰＯ（Ｐｏｗｅｒ  Ｏｆｆｓｅｔ）が−１７ｄＢ、−１２ｄＢおよび−７ｄＢの場合を例に挙げて示している。
【００３３】
図２に示すように、受信電力比ＰＯの絶対値が大きくなるにしたがって、１パス（パス数＝１）の特性からの乖離が著しく大きくなる。乖離が大きくなってしまうと、第１の目標ＳＩＲ（図２では「Ｔａｒｇｅｔ  ＳＩＲ」）を大きな値に設定しても、受信ＳＩＲが所望の値から程遠いものとなってしまう。そこで、乖離がある所定値となる第１の目標ＳＩＲを目標ＳＩＲ閾値とする。
【００３４】
例えば、その所定値を１ｄＢとする場合を例に挙げて説明する。
【００３５】
図２に示すように、１パス受信時との乖離が１ｄＢであるときのＴａｒｇｅｔ  ＳＩＲは、
・ＰＯ＝−１７ｄＢの場合、６ｄＢ
・ＰＯ＝−１２ｄＢの場合、１１ｄＢ
・ＰＯ＝−７ｄＢの場合、１６ｄＢ
となる。これらに基づいて、目標ＳＩＲ閾値を設定する。
【００３６】
図３は、受信電力比（ＤＰＣＣＨ／Ｏｔｈｅｒ電力比）と目標ＳＩＲ閾値（Ｔａｒｇｅｔ  ＳＩＲ  Ｔｈｒｅｓｈｏｌｄ［ｄＢ］）との対応付けの一例を示す図である。この対応付けは、テーブルとして目標ＳＩＲ制御部１０４に記憶される。
【００３７】
図３に示すように、図２に示した特性から目標ＳＩＲ閾値が設定される。例えば、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「２５［ｄＢ］」とが対応付けられている。これは、ＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄを２５ｄＢに設定することを示している。また、ＤＰＣＣＨ／Ｏｔｈｅｒ電力比が「−７ｄＢ以上、０ｄＢ未満」と、Ｔａｒｇｅｔ  ＳＩＲ  Ｔｈｒｅｓｈｏｌｄが「１６［ｄＢ］」とが対応付けられている。これは、ＤＰＣＣＨのパスの受信電力とそれ以外のパスの受信電力との電力比が−７ｄＢ以上であり、０ｄＢ未満である場合、Ｔａｒｇｅｔ  ＳＩＲ  Ｔｈｒｅｓｈｏｌｄを１６ｄＢに設定することを示している。また、ＤＰＣＣＨ／Ｏｔｈｅｒ電力比が「−１２ｄＢ以上、−７ｄＢ未満」と、Ｔａｒｇｅｔ  ＳＩＲ  Ｔｈｒｅｓｈｏｌｄが「１１［ｄＢ］」とが対応付けられている。これは、ＤＰＣＣＨのパスの受信電力とそれ以外のパスの受信電力との電力比が−１２ｄＢ以上であり、−７ｄＢ未満である場合、Ｔａｒｇｅｔ  ＳＩＲ  Ｔｈｒｅｓｈｏｌｄを１１ｄＢに設定することを示している。また、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「６［ｄＢ］」とが対応付けられている。これは、ＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを６ｄＢに設定することを示している。また、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「５［ｄＢ］」とが対応付けられている。これは、ＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを５ｄＢに設定することを示している。
【００３８】
図４は、等レベルマルチパス受信状態におけるマルチパス数が第１の目標ＳＩＲに対する受信ＳＩＲの特性に与える影響を示すグラフである。図２では、マルチパス数が２および４の場合を例に挙げて示している。また、パス数が１である場合も比較対象として示している。
【００３９】
図４に示すように、マルチパス数が増えるにしたがって、パス数が１である場合の特性からの乖離が著しく大きくなる。乖離が大きくなってしまうと、第１の目標ＳＩＲ（図４では「Ｔａｒｇｅｔ  ＳＩＲ」）を大きな値に設定しても、受信するＳＩＲが所望の値から程遠いものとなってしまう。そこで、マルチパス数に応じて、目標ＳＩＲ閾値を設定するように拡張する。
【００４０】
図５は、パス数に応じた受信電力比（ＤＰＣＣＨ／Ｏｔｈｅｒ電力比）と目標ＳＩＲ閾値（Ｔａｒｇｅｔ  ＳＩＲ  Ｔｈｒｅｓｈｏｌｄ［ｄＢ］）との対応付けの一例を示す図である。この対応付けは、テーブルとして目標ＳＩＲ制御部１０４に記憶される。
【００４１】
図５に示すように、図２および図４に示した特性から目標ＳＩＲ閾値が設定される。例えば、パス数が１である場合、すべてのＤＰＣＣＨ／Ｏｔｈｅｒ電力比と、Ｔａｒｇｅｔ  ＳＩＲ  Ｔｈｒｅｓｈｏｌｄが「上限無し」とが対応付けられている。これは、パス数が１である場合は、ＤＰＣＣＨ／Ｏｔｈｅｒ電力比がいくつであろうと、Ｔａｒｇｅｔ  ＳＩＲ  Ｔｈｒｅｓｈｏｌｄには上限値がない、つまり目標ＳＩＲ閾値がないことを示している。
【００４２】
また、「パス数＝２、３」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「２７［ｄＢ］」とが対応付けられている。これは、パス数が２または３であり、ＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄを２７ｄＢに設定することを示している。また、「パス数＝２、３」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「２５［ｄＢ］」とが対応付けられている。これは、パス数が２または３であり、ＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄを２５ｄＢに設定することを示している。また、「パス数＝２、３」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「２０［ｄＢ］」とが対応付けられている。これは、パス数が２または３であり、ＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄを２０ｄＢに設定することを示している。また、「パス数＝２、３」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「１８［ｄＢ］」とが対応付けられている。これは、パス数が２または３であり、ＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを１８ｄＢに設定することを示している。また、「パス数＝２、３」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「１５［ｄＢ］」とが対応付けられている。これは、パス数が２または３であり、ＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを１５ｄＢに設定することを示している。
【００４３】
また、「パス数≧４」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「２５［ｄＢ］」とが対応付けられている。これは、パス数が４以上であり、ＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄを２５ｄＢに設定することを示している。また、「パス数≧４」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「１６［ｄＢ］」とが対応付けられている。これは、パス数が４以上であり、ＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄを１６ｄＢに設定することを示している。また、「パス数≧４」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「１４［ｄＢ］」とが対応付けられている。これは、パス数が４以上であり、ＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄを１４ｄＢに設定することを示している。また、「パス数≧４」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「１２［ｄＢ］」とが対応付けられている。これは、パス数が４以上であり、ＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを１２ｄＢに設定することを示している。また、「パス数≧４」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「８［ｄＢ］」とが対応付けられている。これは、パス数が４以上であり、ＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを８ｄＢに設定することを示している。
【００４４】
さらに、マルチパスのうち、第１のパス（１ｓｔパス）と第２のパス（２ｎｄパス）とのレベル差（受信電力差）に応じて乖離具合が変化する特性を用いて目標ＳＩＲ閾値を設定しても良い。このように拡張設定することでより細かな制御が可能となる。
【００４５】
図６は、レベル差に応じた受信電力比（ＤＰＣＣＨ／Ｏｔｈｅｒ電力比）と目標ＳＩＲ閾値（Ｔａｒｇｅｔ  ＳＩＲ  Ｔｈｒｅｓｈｏｌｄ［ｄＢ］）との対応付けの一例を示す図である。この対応付けは、テーブルとして目標ＳＩＲ制御部１０４に記憶される。
【００４６】
図６に示すように、図２に示した特性およびレベル差から目標ＳＩＲ閾値が設定される。例えば、パス数が１である場合、すべてのＤＰＣＣＨ／Ｏｔｈｅｒ電力比と、Ｔａｒｇｅｔ  ＳＩＲ  Ｔｈｒｅｓｈｏｌｄが「上限無し」とが対応付けられている。これは、パス数が１である場合は、ＤＰＣＣＨ／Ｏｔｈｅｒ電力比がいくつであろうと、Ｔａｒｇｅｔ  ＳＩＲ  Ｔｈｒｅｓｈｏｌｄには上限値がない、つまり目標ＳＩＲ閾値がないことを示している。
【００４７】
また、「パス数≧２」であり、かつ「１ｓｔパス−２ｎｄパスレベル差」が「０〜４ｄＢ」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「３０［ｄＢ］」とが対応付けられている。これは、パス数が２以上であり、かつ１ｓｔパスと２ｎｄパスとのレベル差が０〜４ｄＢであり、かつＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄを３０ｄＢに設定することを示している。また、「パス数≧２」であり、かつ「１ｓｔパス−２ｎｄパスレベル差」が「０〜４ｄＢ」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「２６［ｄＢ］」とが対応付けられている。これは、パス数が２以上であり、かつ１ｓｔパスと２ｎｄパスとのレベル差が０〜４ｄＢであり、かつＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄを２６ｄＢに設定することを示している。また、「パス数≧２」であり、かつ「１ｓｔパス−２ｎｄパスレベル差」が「０〜４ｄＢ」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「２３［ｄＢ］」とが対応付けられている。これは、パス数が２以上であり、かつ１ｓｔパスと２ｎｄパスとのレベル差が０〜４ｄＢであり、かつＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄを２３ｄＢに設定することを示している。また、「パス数≧２」であり、かつ「１ｓｔパス−２ｎｄパスレベル差」が「０〜４ｄＢ」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「１６［ｄＢ］」とが対応付けられている。これは、パス数が２以上であり、かつ１ｓｔパスと２ｎｄパスとのレベル差が０〜４ｄＢであり、かつＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを１６ｄＢに設定することを示している。また、「パス数≧２」であり、かつ「１ｓｔパス−２ｎｄパスレベル差」が「０〜４ｄＢ」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「１２［ｄＢ］」とが対応付けられている。これは、パス数が２以上であり、かつ１ｓｔパスと２ｎｄパスとのレベル差が０〜４ｄＢであり、かつＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを１２ｄＢに設定することを示している。
【００４８】
また、「パス数≧２」であり、かつ「１ｓｔパス−２ｎｄパスレベル差」が「４〜８ｄＢ」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が４〜８ｄＢであり、かつＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「４〜８ｄＢ」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「３０［ｄＢ］」とが対応付けられている。これは、パス数が２以上であり、かつ１ｓｔパスと２ｎｄパスとのレベル差が４〜８ｄＢであり、かつＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄを３０ｄＢに設定することを示している。また、「パス数≧２」であり、かつ「１ｓｔパス−２ｎｄパスレベル差」が「４〜８ｄＢ」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「２７［ｄＢ］」とが対応付けられている。これは、パス数が２以上であり、かつ１ｓｔパスと２ｎｄパスとのレベル差が４〜８ｄＢであり、かつＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄを２７ｄＢに設定することを示している。また、「パス数≧２」であり、かつ「１ｓｔパス−２ｎｄパスレベル差」が「４〜８ｄＢ」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「２０［ｄＢ］」とが対応付けられている。これは、パス数が２以上であり、かつ１ｓｔパスと２ｎｄパスとのレベル差が４〜８ｄＢであり、かつＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを２０ｄＢに設定することを示している。また、「パス数≧２」であり、かつ「１ｓｔパス−２ｎｄパスレベル差」が「４〜８ｄＢ」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「１５［ｄＢ］」とが対応付けられている。これは、パス数が２以上であり、かつ１ｓｔパスと２ｎｄパスとのレベル差が４〜８ｄＢであり、かつＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを１５ｄＢに設定することを示している。
【００４９】
また、「パス数≧２」であり、かつ「１ｓｔパス−２ｎｄパスレベル差」が「８〜１２ｄＢ」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が８〜１２ｄＢであり、かつＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「８〜１２ｄＢ」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が８〜１２ｄＢであり、かつＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「８〜１２ｄＢ」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「３０［ｄＢ］」とが対応付けられている。これは、パス数が２以上であり、かつ１ｓｔパスと２ｎｄパスとのレベル差が８〜１２ｄＢであり、かつＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄを３０ｄＢに設定することを示している。また、「パス数≧２」であり、かつ「１ｓｔパス−２ｎｄパスレベル差」が「８〜１２ｄＢ」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「２４［ｄＢ］」とが対応付けられている。これは、パス数が２以上であり、かつ１ｓｔパスと２ｎｄパスとのレベル差が８〜１２ｄＢであり、かつＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを２４ｄＢに設定することを示している。また、「パス数≧２」であり、かつ「１ｓｔパス−２ｎｄパスレベル差」が「８〜１２ｄＢ」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「１９［ｄＢ］」とが対応付けられている。これは、パス数が２以上であり、かつ１ｓｔパスと２ｎｄパスとのレベル差が８〜１２ｄＢであり、かつＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを１９ｄＢに設定することを示している。
【００５０】
また、「パス数≧２」であり、かつ「１ｓｔパス−２ｎｄパスレベル差」が「１２〜１７ｄＢ」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１２〜１７ｄＢであり、かつＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１２〜１７ｄＢ」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１２〜１７ｄＢであり、かつＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１２〜１７ｄＢ」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１２〜１７ｄＢであり、かつＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１２〜１７ｄＢ」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「２９［ｄＢ］」とが対応付けられている。これは、パス数が２以上であり、かつ１ｓｔパスと２ｎｄパスとのレベル差が１２〜１７ｄＢであり、かつＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄを２９ｄＢに設定することを示している。また、「パス数≧２」であり、かつ「１ｓｔパス−２ｎｄパスレベル差」が「１２〜１７ｄＢ」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「２４［ｄＢ］」とが対応付けられている。これは、パス数が２以上であり、かつ１ｓｔパスと２ｎｄパスとのレベル差が１２〜１７ｄＢであり、かつＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを２４ｄＢに設定することを示している。
【００５１】
また、「パス数≧２」であり、かつ「１ｓｔパス−２ｎｄパスレベル差」が「１７ｄＢ以上」である場合、ＤＰＣＣＨ／Ｏｔｈｅｒ電力比が「０ｄＢ以上」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１７ｄＢ以上であり、かつＤＰＣＣＨのパスの受信電力とそれ以外のパスの受信電力との電力比が０ｄＢ以上である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１７ｄＢ以上」である場合、ＤＰＣＣＨ／Ｏｔｈｅｒ電力比が「−５ｄＢ以上、０ｄＢ未満」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１７ｄＢ以上であり、かつＤＰＣＣＨのパスの受信電力とそれ以外のパスの受信電力との電力比が−５ｄＢ以上であり、０ｄＢ未満である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１７ｄＢ以上」である場合、ＤＰＣＣＨ／Ｏｔｈｅｒ電力比が「−１２ｄＢ以上、−５ｄＢ未満」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１７ｄＢ以上であり、かつＤＰＣＣＨのパスの受信電力とそれ以外のパスの受信電力との電力比が−１２ｄＢ以上であり、−５ｄＢ未満である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１７ｄＢ以上」である場合、ＤＰＣＣＨ／Ｏｔｈｅｒ電力比が「−１７ｄＢ以上、−１２ｄＢ未満」と、Ｔａｒｇｅｔ  ＳＩＲ  Ｔｈｒｅｓｈｏｌｄが「上限無し」とが対応付けられている。これは、パス数が２以上であり、かつ１ｓｔパスと２ｎｄパスとのレベル差が１７ｄＢ以上であり、かつＤＰＣＣＨのパスの受信電力とそれ以外のパスの受信電力との電力比が−１７ｄＢ以上であり、−１２ｄＢ未満である場合、Ｔａｒｇｅｔ  ＳＩＲ  Ｔｈｒｅｓｈｏｌｄの設定値に上限はないことを示している。また、「パス数≧２」であり、かつ「１ｓｔパス−２ｎｄパスレベル差」が「１７ｄＢ以上」である場合、ＤＰＣＣＨ／Ｏｔｈｅｒ電力比が「−１７ｄＢ未満」と、Ｔａｒｇｅｔ  ＳＩＲ  Ｔｈｒｅｓｈｏｌｄが「３０［ｄＢ］」とが対応付けられている。これは、パス数が２以上であり、かつ１ｓｔパスと２ｎｄパスとのレベル差が１７ｄＢ以上であり、かつＤＰＣＣＨのパスの受信電力とそれ以外のパスの受信電力との電力比が−１７ｄＢ未満である場合、Ｔａｒｇｅｔ  ＳＩＲ  Ｔｈｒｅｓｈｏｌｄを３０ｄＢに設定することを示している。
【００５２】
次に、目標ＳＩＲ制御部１０４における設定された目標ＳＩＲ閾値（Ｔａｒｇｅｔ  ＳＩＲ  Ｔｈｒｅｓｈｏｌｄ）に基づいた第２の目標ＳＩＲの設定方法について説明する。
【００５３】
上述したテーブルの対応付けについて真である場合、すなわち、パワーコントロール制御が有効に動作しない可能性のある場合、目標ＳＩＲ制御部１０４は、設定された目標ＳＩＲ閾値（Ｔａｒｇｅｔ  ＳＩＲ  Ｔｈｒｅｓｈｏｌｄ）と、スケジューラ１０３から出力されてきた第１の目標ＳＩＲとを比較する。
【００５４】
比較の結果、目標ＳＩＲ閾値が第１の目標ＳＩＲよりも小さな値である場合、目標ＳＩＲ制御部１０４は、目標ＳＩＲ閾値を第２の目標ＳＩＲに設定する。また、それ以外の場合は、目標ＳＩＲ制御部１０４は、第１の目標ＳＩＲを第２の目標ＳＩＲに設定する。そして、目標ＳＩＲ制御部１０４は、設定した第２の目標ＳＩＲを電力制御部１０５へ出力する。
【００５５】
また、目標ＳＩＲ制御部１０４は、目標ＳＩＲ閾値が第１の目標ＳＩＲよりも小さな値である場合、端末から送信される信号の送信レートを下げるようにスケジューラ１０３に対して指示する。
【００５６】
その後、電力制御部１０５が、目標ＳＩＲ制御部１０４から出力されてきた第２の目標ＳＩＲと、受信ＳＩＲ測定部１０２から出力されてきた受信ＳＩＲとを比較し、比較に結果に基づいて、上述した電力制御を行う。
【００５７】
以下に、本形態における送信電力制御方法について説明する。
【００５８】
図７は、図１に示した無線基地局１００における送信電力制御方法を説明するためのフローチャートである。
【００５９】
まず、逆拡散部１０１から出力されてきたＰｉｌｏｔ信号を用いて、受信ＳＩＲ測定部１０２にて受信ＳＩＲが測定される（ステップＳ１）。測定された受信ＳＩＲは、受信ＳＩＲ測定部１０２から電力制御部１０５へ出力される。
【００６０】
また、スケジューラ１０３によって、端末から送信される信号の送信レートが制御されている（ステップＳ２）。
【００６１】
また、スケジューラ１０３によって、第１の目標ＳＩＲが設定される（ステップＳ３）。設定された第１の目標ＳＩＲは、スケジューラ１０３から目標ＳＩＲ制御部１０４へ出力される。
【００６２】
ここで、ステップＳ１〜Ｓ３の処理は、上述したように一般的に行われている処理である。
【００６３】
すると、目標ＳＩＲ制御部１０４にて、受信電力比と、無線基地局１００が端末との間で通信を行っているパス数と、そのパス数が複数である場合、パスのうち第１のパスと第２のパスとの間の受信電力差とに基づいて、目標ＳＩＲの閾値となる目標ＳＩＲ閾値が設定される（ステップＳ４）。この設定には、図３、図５および図６に示したテーブルが用いられる。
【００６４】
続いて、設定された目標ＳＩＲ閾値とスケジューラ１０３から出力されてきた第１の目標ＳＩＲとが、目標ＳＩＲ制御部１０４にて比較される（ステップＳ５）。
【００６５】
比較の結果、目標ＳＩＲ閾値が第１の目標ＳＩＲよりも小さな値である場合、目標ＳＩＲ制御部１０４にて目標ＳＩＲ閾値が第２の目標ＳＩＲとして設定される（ステップＳ６）。また、端末から送信される信号の送信レートを下げるように、目標ＳＩＲ制御部１０４からスケジューラ１０３に対して指示が行われ、スケジューラ１０３によって端末からの送信レートを下げる制御が行われる（ステップＳ７）。
【００６６】
一方、ステップＳ５の比較の結果、目標ＳＩＲ閾値が第１の目標ＳＩＲよりも小さな値ではない場合は、目標ＳＩＲ制御部１０４にて第１の目標ＳＩＲが第２の目標ＳＩＲとして設定される（ステップＳ８）。
【００６７】
そして、目標ＳＩＲ制御部１０４にて設定された第２の目標ＳＩＲは、目標ＳＩＲ制御部１０４から電力制御部１０５へ出力される。
【００６８】
すると、電力制御部１０５にて、受信ＳＩＲ測定部１０２から出力されてきた受信ＳＩＲと、目標ＳＩＲ制御部１０４から出力されてきた第２の目標ＳＩＲとが比較される（ステップＳ９）。
【００６９】
比較の結果、受信ＳＩＲが第２の目標ＳＩＲよりも小さな値である場合、端末から送信される信号の送信電力を上げるような制御が電力制御部１０５によって行われる（ステップＳ１０）。
【００７０】
一方、受信ＳＩＲが第２の目標ＳＩＲよりも小さな値ではない場合は、端末から送信される信号の送信電力を下げるような制御が電力制御部１０５によって行われる（ステップＳ１１）。
【００７１】
このように、高レート通信中の端末の電力制御が有効に働かなくなるＴａｒｇｅｔ  ＳＩＲとならないように制御を実施することで、急激なレベル増加によるＡＧＣの追従遅延によるサチュレーションや量子化誤差の悪影響を最小限に抑えられる。また、無駄に上りリンクの干渉を増大させない制御が可能となる。その理由は、制御チャネルとデータチャネルの電力比、および、パス情報により、Ｔａｒｇｅｔ  ＳＩＲを補正することで、端末の送信電力の上昇を抑制可能であるためである。
【００７２】
また、急激な上り干渉量の増大による他ユーザ、他セルへの悪影響を非常に少ないコストで回避可能である。その理由は、一般的な技術である高速ＴＰＣ制御を応用したものであるためである。
【００７３】
上述した無線基地局１００に設けられた各構成要素が行う処理は、目的に応じてそれぞれ作製された論理回路で行うようにしても良い。また、処理内容を記述したプログラムを無線基地局１００にて読取可能な記録媒体に記録し、この記録媒体に記録されたプログラムを無線基地局１００に読み込ませ、実行するものであっても良い。無線基地局１００にて読取可能な記録媒体とは、フロッピー（登録商標）ディスク、光磁気ディスク、ＤＶＤ、ＣＤなどの移設可能な記録媒体の他、無線基地局１００に内蔵されたＲＯＭ、ＲＡＭ等のメモリやＨＤＤ等を指す。この記録媒体に記録されたプログラムは、無線基地局１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００７４】
１００    無線基地局
１０１    逆拡散部
１０２    受信ＳＩＲ測定部
１０３    スケジューラ
１０４    目標ＳＩＲ制御部
１０５    電力制御部
１０６    物理チャネルマッピング部
１０７    拡散部
【図１】
0005423364.tif 000002
【図２】
0005423364.tif 000003
【図３】
0005423364.tif 000004
【図４】
0005423364.tif 000005
【図５】
0005423364.tif 000006
【図６】
0005423364.tif 000007
【図７】
0005423364.tif 000008
【図８】
0005423364.tif 000009